(57)【特許請求の範囲】
【請求項１】
被写体を照明する光源と、前記光源からの照明光を前記被写体側に射出する発光部と、を有する本体と、
前記照明光の所定成分を透過させるフィルタを収納するフィルタホルダと、
前記本体に取り付けられ、前記フィルタホルダを前記発光部に対して回動可能に支持する支持部材と、を備え、
前記フィルタホルダは、前記支持部材に対して、前記フィルタホルダと前記支持部材とで成す角度が第１角度となる第１位置と、前記成す角度が前記第１角度とは異なる第２角度となる第２位置との間で回動し、
前記フィルタホルダ及び前記支持部材は、前記本体に形成された収納部に前記フィルタホルダが前記第２位置の状態で収納される収納状態と、前記収納状態から、前記フィルタホルダと前記支持部材の一部とが前記収納部より出て、前記フィルタホルダが前記第２位置から前記第１位置へ回動するとともに、前記フィルタホルダが前記発光部に対して平行となり、且つ前記発光部から前記被写体側に所定距離離れた位置に存在する使用状態と、の間で移動可能であり、
前記フィルタホルダと前記支持部材とで成す角度が、前記使用状態において前記第１角度に比べて小さい角度にならないこと
を特徴とする撮影用照明装置。
【請求項２】
請求項１に記載の撮影用照明装置において、
前記第１角度は、前記第２角度に比べて小さい角度であること
を特徴とする撮影用照明装置。
【請求項３】
請求項１または請求項２に記載の撮影用照明装置において、
前記フィルタホルダを、前記支持部材に対して前記第２位置から前記第１位置へ回動するよう付勢する付勢部材を備えること
を特徴とする撮影用照明装置。
【請求項４】
請求項３に記載の撮影装置において、
前記付勢部材は、前記支持部材と前記フィルタホルダとをつなぐ回転軸に設けられているバネであり、
前記バネは、前記使用状態において前記成す角度が前記第１角度よりも小さい角度となる方向へ前記フィルタホルダが前記支持部材に対して回動することを防ぐ構造を有すること
を特徴とする撮影用照明装置。
【請求項５】
請求項１乃至請求項４の何れか一項に記載の撮影用照明装置において、
前記使用状態において、前記成す角度が、前記第１角度よりも小さい角度となる方向へ前記フィルタホルダが前記支持部材に対して回動することを防ぐ係止部を備えること
を特徴とする撮影用照明装置。
【請求項６】
請求項１乃至請求項５の何れか一項に記載の撮影用照明装置において、
前記フィルタホルダとは異なる光学部材を備え、
前記光学部材は、前記使用状態において、前記発光部に対して平行であり、且つ、前記発光部の前記被写体側であり且つ前記フィルタホルダの前記発光部側の位置に存在すること
を特徴とする撮影用照明装置。
【発明の詳細な説明】
【技術分野】
【０００１】
本発明は、被写体を照明する光源を内蔵する撮影用照明装置に関する。
【背景技術】
【０００２】
従来、この種の撮影用照明装置としては、例えば、特許文献１に開示されたストロボがある。このストロボに外付けするストロボ用フィルタホルダは、ストロボ前面のフラッシュウインドの枠外形に装着できるように、上方が開放されたコの字形に形成されている。このストロボ用フィルタホルダには、各種フィルタを上方から垂直に挿入するガイド溝が設けられている。
【先行技術文献】
【特許文献】
【０００３】
【特許文献１】特開２００３−１７７４６３号公報
【発明の概要】
【発明が解決しようとする課題】
【０００４】
特許文献１に開示された従来のストロボは、上記のように、ストロボに外付けでフィルタホルダが装着される構造をしており、ストロボとフィルタホルダとが物理的に分離している。このため、外出時などにストロボとフィルタホルダとを別々に持ち運ぶ必要があって面倒であったり、フィルタホルダを紛失しやすい。また、フィルタホルダを用いてストロボ撮影を行いたい場面で、フィルタホルダが撮影者の手元にない場合も生じる。
【課題を解決するための手段】
【０００５】
本発明はこのような課題を解決するためになされたもので、
被写体を照明する光源と、前記光源からの照明光を前記被写体側に射出する発光部と、を有する本体と、
前記照明光の所定成分を透過させるフィルタを収納するフィルタホルダと、
前記本体に取り付けられ、前記フィルタホルダを前記発光部に対して回動可能に支持する支持部材と、を備え、
前記フィルタホルダは、前記支持部材に対して、前記フィルタホルダと前記支持部材とで成す角度が第１角度となる第１位置と、前記成す角度が前記第１角度とは異なる第２角度となる第２位置との間で回動し、
前記フィルタホルダ及び前記支持部材は、前記本体に形成された収納部に前記フィルタホルダが前記第２位置の状態で収納される収納状態と、前記収納状態から、前記フィルタホルダと前記支持部材の一部とが前記収納部より出て、前記フィルタホルダが前記第２位置から前記第１位置へ回動するとともに、前記フィルタホルダが前記発光部に対して平行となり、且つ前記発光部から前記被写体側に所定距離離れた位置に存在する使用状態と、の間で移動可能であり、
前記フィルタホルダと前記支持部材とで成す角度が、前記使用状態において前記第１角度に比べて小さい角度にならないこと
を特徴とする撮影用照明装置を構成した。
【０００６】
本構成によれば、フィルタホルダは、光源からの照明光が出射される本体の発光部の前面に位置する使用状態と、発光部の前面以外に位置する収納状態とに移動自在に、本体に取り付けられ、本体に一体化されている。このため、フィルタホルダ単体での持ち運びが不要になり、従来のようにフィルタホルダと本体とを別々に持ち運ぶ煩わしさがなくなり、しかも、フィルタホルダを紛失しなくなる。また、照明装置を用いた撮影時に、フィルタホルダは照明装置本体に一体化していて撮影者の手元に常にあるため、フィルタホルダを使いたい場面ですぐに使用でき、また、従来のようにフィルタホルダを本体にわざわざ装着する手間が省ける。この結果、使いやすいフィルタホルダを備えた撮影用照明装置が提供される。
【発明の効果】
【００１３】
本発明による撮影用照明装置によれば、上記のように、フィルタホルダ単体での持ち運びが不要になり、従来のようにフィルタホルダと本体とを別々に持ち運ぶ煩わしさがなくなり、しかも、フィルタホルダを紛失しなくなる。また、フィルタホルダを使いたい場面ですぐに使用でき、また、従来のようにフィルタホルダを本体にわざわざ装着する手間が省ける。この結果、使いやすいフィルタホルダを備えた撮影用照明装置が提供される。
【図面の簡単な説明】
【００１４】
【図１】（ａ）は、本発明の一実施の形態による撮影用照明装置の斜視図、（ｂ）は、（ａ）に示す撮影用照明装置に用いられているフィルタホルダの斜視図である。
【図２】（ａ）は、図１に示す撮影用照明装置の、フィルタホルダおよびワイドパネルが共に発光部の前方に配置されている斜視図、（ｂ）は、図１に示す撮影用照明装置の、フィルタホルダおよびワイドパネルが共に撮影用照明装置に収納されている斜視図である。
【発明を実施するための形態】
【００１５】
次に、本発明による撮影用照明装置の一実施の形態について説明する。
【００１６】
図１（ａ）は、この一実施の形態による撮影用照明装置１の外観を示す斜視図である。
撮影用照明装置１は、被写体を照明する図示しないキセノン管を光源として本体２に内蔵している。本体２の突き出た前部には、被写体が暗い場合に明るさを確保する、キセノン管からの照明光を出射する発光部２ａが備えられている。発光部２ａの前面にはプラスチック製のフレネルレンズが装着されおり、発光部２ａの前方にフィルタホルダ３が垂直に配置されている。また、発光部２ａの上部の周囲側面には、矩形状の溝が形成されており、ワイドパネル４がこの溝に収納されている。
【００１７】
図１（ｂ）は、フィルタホルダ３の単体の外観を示す斜視図である。
【００１８】
フィルタホルダ３は、そのガイド溝３ａに図示しないフィルタが上方から垂直に挿入されることにより、図示しないフィルタを収納する。フィルタは、発光部２ａから出射される照明光の所定成分を透過させるものであり、撮影者によって撮影場面に応じた種類のものがガイド溝３ａに差し込まれて、撮影が行われる。フィルタホルダ３には、回転軸６の両端部が挿入される回転軸受け穴３ｂが形成されている。フィルタホルダ３は、この回転軸６によってホルダ支持板７に回動自在に支持され、本体２に対して回動させられる。ホルダ支持板７は、発光部２ａの下部の周囲側面に形成された矩形状の溝に出し入れ自在に形成されている。
【００１９】
回転軸６には、バネ５が巻き付けられており、バネ５の一端はフィルタホルダ３の背面、他端はホルダ支持板７の背面にあてがわれている。フィルタホルダ３は、バネ５により、矢印Ａに示すように水平方向の位置（０度）から垂直方向の位置（９０度）に回動するように、付勢されている。また、フィルタホルダ３は、バネ５自体の構造により、または図示しないストッパによって機械的に、９０度以上回動させられない構造になっている。
【００２０】
フィルタホルダ３は、バネ５の付勢力に抗してホルダ支持板７に対して水平に倒され、発光部２ａの下部の周囲側面に形成された溝にホルダ支持板７と共に押し込まれて収納され、収納状態になる。また、溝に収納されたフィルタホルダ３は、ホルダ支持板７と共に、水平方向に引き出された後、回転軸６に巻き付けられたバネ５の付勢力によって回転軸６を中心に矢印Ａ方向に回動して垂直に跳ね上げられ、同図（ａ）に示すように、発光部２ａの前面を覆った使用状態に保持される。このようにフィルタホルダ３は、キセノン管からの照明光が出射される発光部２ａの前面に位置する使用状態と、発光部２ａの前面以外の下部側面に位置する収納状態とに移動自在に、本体２に取り付けられている。また、フィルタホルダ３は、使用状態において、発光部２ａの前面から所定の距離被写体側に離れている。この所定の距離は、発光部２ａからの照明光がフィルタホルダ３に保持されたフィルタから漏れてバウンス光にならない程度の距離とされる。
【００２１】
図２（ａ）は、フィルタホルダ３およびワイドパネル４が共に発光部２ａの前方に配置されている場合の撮影用照明装置１の斜視図である。なお、同図において図１と同一部分には同一符号を付してその説明は省略する。
【００２２】
ワイドパネル４は、発光部２ａから出射される照明光を拡散させる機能を有している。ワイドパネル４は、回転軸１２によってパネル支持板１３に回動自在に支持され、本体２に対して回動させられる。パネル支持板１３は、発光部２ａの上部の周囲側面に形成された矩形状の溝に出し入れ自在に形成されている。回転軸１２には、フィルタホルダ３と同様にバネ１１が巻き付けられており、ワイドパネル４は、バネ１１により、垂直下方に回動するように付勢されている。図１（ａ）に示すように収納された収納状態のワイドパネル４は、パネル支持板１３と共に水平方向に引き出された後、回転軸１２に巻き付けられたバネ１１によって回転軸１２を中心に回動して垂直に跳ね下げられ、図２（ａ）に示すように、発光部２ａの前方、かつ、フィルタホルダ３の後方で、垂直になった使用状態に保持される。このようにワイドパネル４は、使用状態にあるフィルタホルダ３と発光部２ａの前面との間に位置する図２（ａ）に示す使用状態と、発光部２ａの前面以外の上部側面に位置する図１（ａ）に示す収納状態とに移動自在に、撮影用照明装置１に取り付けられている。また、フィルタホルダ３は、図２（ａ）に示すように、使用状態において、使用状態にあるワイドパネル４から所定の距離被写体側に離れている
【００２３】
図２（ｂ）は、フィルタホルダ３およびワイドパネル４が共に本体２に収納されている場合の撮影用照明装置１の斜視図である。なお、同図において図１と同一部分には同一符号を付してその説明は省略する。
【００２４】
図１（ａ）や図２（ａ）に示すように、発光部２ａの前方にあったフィルタホルダ３は、回転軸６を中心に水平位置まで回動された後、水平方向に押し込まれることにより、本体２の周囲の下部側面に収納される。また、図２（ａ）に示すように、発光部２ａの前方にあったワイドパネル４も、上述したフィルタホルダ３と同様な操作により、本体２の周囲の上部側面に収納される。このように収納状態にあるフィルタホルダ３およびワイドパネル４は、一方が発光部２ａの周囲の上方、他方が発光部２ａの周囲の下方に収納される。
【００２５】
このような本実施形態による撮影用照明装置１によれば、フィルタホルダ３は、光源からの照明光が出射される本体２の発光部２ａの前面に位置する図１（ａ）および図２（ａ）に示す使用状態と、発光部２ａの前面以外に位置する図２（ｂ）に示す収納状態とに移動自在に、本体２に取り付けられ、本体２に一体化されている。このため、フィルタホルダ３単体での持ち運びが不要になり、従来のようにフィルタホルダ３と本体２とを別々に持ち運ぶ煩わしさがなくなり、しかも、フィルタホルダ３を紛失しなくなる。また、撮影用照明装置１を用いた撮影時に、フィルタホルダ３は本体２に一体化していて撮影者の手元に常にあるため、フィルタホルダ３を使いたい場面ですぐに使用でき、また、従来のようにフィルタホルダ３を本体２にわざわざ装着する手間が省ける。この結果、使いやすいフィルタホルダ３を備えた撮影用照明装置１が提供される。
【００２６】
また、本実施形態による撮影用照明装置１によれば、フィルタホルダ３は、使用状態において、図１（ａ）に示すように発光部２ａの前面から所定の距離被写体側に離れている。このため、内蔵光源の発光によって発光部２ａに生じる熱により、フィルタホルダ３に収納されているフィルタが変形したり、劣化するのが防げる。また、発光部２ａの前面とフィルタホルダ３との間にワイドパネル４等の他の部材を挟んで配置することができ、撮影時にフィルタホルダ３とワイドパネル４等の他の部材との併用が可能になる。
【００２７】
また、本実施形態による撮影用照明装置１によれば、ワイドパネル４は、使用状態において、図２（ａ）に示すように、発光部２ａの前面とフィルタホルダ３との間に位置させられ、このときフィルタホルダ３はワイドパネル４から所定の距離被写体側に離れている。このため、撮影時にフィルタホルダ３とワイドパネル４との併用が可能になると共に、フィルタホルダ３を発光部２ａの前面に移動させたり、フィルタホルダ３を発光部２ａの前面以外の場所に収納させる際、フィルタホルダ３がワイドパネル４と接触して摩耗したり破損するのが防げるので、フィルタホルダ３の耐久性が増す。
【００２８】
また、本実施形態による撮影用照明装置１によれば、図２（ｂ）に示すように収納状態にあるフィルタホルダ３およびワイドパネル４が、発光部２ａの周囲の互いに異なる方に収納される。このため、収納状態にあるフィルタホルダ３およびワイドパネル４が、共に発光部２ａの周囲の一方、例えば、発光部２ａの周囲上部に重ねて収納されて、撮影用照明装置１の高さが高くなるのを防ぐことができ、撮影用照明装置１をコンパクトに構成することができる。
【００２９】
なお、本実施形態では、フィルタホルダ３およびワイドパネル４はそれぞれ本体２の周囲の下部側面および上部側面に収納されている構成であったが、フィルタホルダ３およびワイドパネル４の収納場所は本体２の周囲の下部側面および上部側面に限らず、本体２の周囲の左右側面や他の場所に収納されてもよい。
【００３０】
また、本実施形態では、被写体が暗い場合に明るさを確保する光源として、キセノン管が本体２内に備えられている構成であったが、ＬＥＤ（発光ダイオード）が光源として本体２内に備えられている構成でもよい。
【符号の説明】
【００３１】
１…撮影用照明装置
２…本体
２ａ…発光部
３…フィルタホルダ
３ａ…ガイド溝
４…ワイドパネル
【図１】
0005532704.tif 000002
【図２】
0005532704.tif 000003